(57)【要約】  ３Ｄ  ＭＩＭＯにおける高精度のチャネル状態の推定と効率的なチャネル状態のフィードバックとを実現するための技術が開示される。本発明の一態様は、３Ｄ  ＭＩＭＯ（３−Ｄｉｍｅｎｓｉｏｎａｌ  Ｍｕｌｔｉｐｌｅ−Ｉｎｐｕｔ  Ｍｕｌｔｉｐｌｅ−Ｏｕｔｐｕｔ）通信を実現するユーザ装置であって、基地局の３Ｄ  ＭＩＭＯ用のアンテナのアンテナポートから送信されたリファレンス信号により前記アンテナポートのチャネル状態を測定し、前記測定したチャネル状態に基づきチャネル状態情報を生成するチャネル状態情報生成部と、前記アンテナの各次元におけるアンテナポートについて異なるチャネル状態情報フィードバック手段を用いて、前記生成されたチャネル状態情報を前記基地局にフィードバックするチャネル状態情報フィードバック部とを有するユーザ装置に関する。
2016047505.tif 000002
【特許請求の範囲】
【請求項１】
３Ｄ  ＭＩＭＯ（３−Ｄｉｍｅｎｓｉｏｎａｌ  Ｍｕｌｔｉｐｌｅ−Ｉｎｐｕｔ  Ｍｕｌｔｉｐｌｅ−Ｏｕｔｐｕｔ）通信を実現する基地局であって、
３Ｄ  ＭＩＭＯ用のアンテナと、
前記アンテナを管理するアンテナ管理部と、
前記アンテナを介しユーザ装置との間で無線信号を送受信する送受信部と、
を有し、
前記アンテナ管理部は、前記アンテナの構成を示すアンテナコンフィギュレーション情報を有し、
前記送受信部は、前記アンテナコンフィギュレーション情報を前記ユーザ装置に通知する基地局。
【請求項２】
前記アンテナコンフィギュレーション情報は、前記アンテナの各次元におけるアンテナポート数と、前記アンテナの偏波種別とを示す、請求項１記載の基地局。
【請求項３】
前記アンテナ管理部は、前記アンテナの各次元と偏波種別とに基づきアンテナポートをインデックス付けする、請求項２記載の基地局。
【請求項４】
前記アンテナ管理部は更に、前記アンテナのアンテナポートから送信されるリファレンス信号のシグナリングパターンを示すリファレンス信号コンフィギュレーション情報を有し、
前記送受信部は更に、前記リファレンス信号コンフィギュレーション情報を前記ユーザ装置に通知する、請求項１乃至３何れか一項記載の基地局。
【請求項５】
前記リファレンス信号コンフィギュレーション情報は、前記シグナリングパターンに関する前記アンテナの各次元におけるサンプリングファクタ、オフセット及び偏波種別を示す、請求項４記載の基地局。
【請求項６】
３Ｄ  ＭＩＭＯ（３−Ｄｉｍｅｎｓｉｏｎａｌ  Ｍｕｌｔｉｐｌｅ−Ｉｎｐｕｔ  Ｍｕｌｔｉｐｌｅ−Ｏｕｔｐｕｔ）通信を実現するユーザ装置であって、
基地局の３Ｄ  ＭＩＭＯ用のアンテナのアンテナポートから送信されたリファレンス信号により前記アンテナポートのチャネル状態を測定し、前記測定したチャネル状態に基づきチャネル状態情報を生成するチャネル状態情報生成部と、
前記アンテナの各次元におけるアンテナポートについて異なるチャネル状態情報フィードバック手段を用いて、前記生成されたチャネル状態情報を前記基地局にフィードバックするチャネル状態情報フィードバック部と、
を有するユーザ装置。
【請求項７】
前記チャネル状態情報生成部は、前記基地局のアンテナの構成を示すアンテナコンフィギュレーション情報と前記アンテナのアンテナポートから送信されるリファレンス信号のシグナリングパターンを示すリファレンス信号コンフィギュレーション情報とを前記基地局から受信し、前記受信したアンテナコンフィギュレーション情報とリファレンス信号コンフィギュレーション情報とに基づき前記アンテナポートのチャネル状態を測定する、請求項６記載のユーザ装置。
【請求項８】
前記チャネル状態情報フィードバック部は、前記アンテナの水平方向におけるアンテナポートについて第１チャネル状態情報フィードバック手段を用いて、前記生成されたチャネル状態報情報を前記基地局にフィードバックし、前記アンテナの垂直方向におけるアンテナポートについて第２チャネル状態情報フィードバック手段を用いて、前記生成されたチャネル状態情報を前記基地局にフィードバックし、
前記第１チャネル状態情報フィードバック手段は、前記第２チャネル状態情報フィードバック手段より精細なプリコーディングを可能にする、請求項６又は７記載のユーザ装置。
【請求項９】
前記第１チャネル状態情報フィードバック手段は、ＬＴＥ規格リリース１２の４−Ｔｘコードブックであり、
前記第２チャネル状態情報フィードバック手段は、ＤＦＴ（Ｄｉｓｃｒｅｔｅ  Ｆｏｕｒｉｅｒ  Ｔｒａｎｓｆｏｒｍ）コードブックである、請求項８記載のユーザ装置。
【請求項１０】
前記チャネル状態情報フィードバック部は、前記アンテナの各次元のランクインジケータを結合して前記基地局にフィードバックする、請求項６乃至９何れか一項記載のユーザ装置。
【発明の詳細な説明】
【技術分野】
【０００１】
本発明は、無線通信システムに関する。
【背景技術】
【０００２】
従来の水平方向のビーム制御に加えて、垂直方向のビーム制御を行う３Ｄ  ＭＩＭＯ（Ｔｈｉｒｄ  Ｄｉｍｅｎｓｉｏｎａｌ  Ｍｕｌｔｉｐｌｅ−Ｉｎｐｕｔ  Ｍｕｌｔｉｐｌｅ−Ｏｕｔｐｕｔ）が現在議論されている。３Ｄ  ＭＩＭＯは、アンテナポートの個数に応じてＥｌｅｖａｔｉｏｎ  ｂｅａｍｆｏｒｍｉｎｇ（ＢＦ）とＦｕｌｌ  ｄｉｍｅｎｓｉｏｎ（ＦＤ）−ＭＩＭＯとに分類されることもある。図１に示されるように、８アンテナポートまでの３Ｄ  ＭＩＭＯはＥｌｅｖａｔｉｏｎ  ｂｅａｍｆｏｒｍｉｎｇと呼ばれ、それより多くのアンテナポートの３Ｄ  ＭＩＭＯはＦｕｌｌ  ｄｉｍｅｎｓｉｏｎ−ＭＩＭＯ又はＭａｓｓｉｖｅ  ＭＩＭＯと呼ばれる。Ｆｕｌｌ  ｄｉｍｅｎｓｉｏｎ−ＭＩＭＯでは、図示されるように、多数のアンテナポートを有する２次元平面アンテナだけでなく、円筒状に配置した複数のアンテナや立方体面上に配置したアンテナなどの３次元アンテナなども利用される。【０００３】
このような多次元アンテナを備えた基地局が水平方向と垂直方向との２つの方向に対してビーム制御を行う３Ｄ  ＭＩＭＯでは、セル間干渉へのインパクトを考慮しながら垂直方向に正確なビームを形成するために、キャリブレーションを行ったアクティブアンテナシステム（ＡＡＳ）に基づく運用が想定されている。ＬＴＥ（Ｌｏｎｇ  Ｔｅｒｍ  Ｅｖｏｌｕｔｉｏｎ）規格のリリース１３では、最大で６４個の送受信機（Ｔｒａｎｓｃｅｉｖｅｒ  ｕｎｉｔ：ＴＸＲＵ）を用いることが想定され、これらの送受信機がアクティブアンテナシステムの下で制御される。【０００４】
３Ｄ  ＭＩＭＯの効果としては以下のものがあげられる。まず、従来の水平方向に加えて垂直方向のビーム制御（プリコーディング）を実現することによって、より高いビームフォーミング利得を実現することが可能になる。例えば、図２に示されるように、高層ビル内のユーザ装置に対するビーム吹き上げが可能になる。また、より多くのアンテナを使用することによって、より高いビームフォーミング利得を実現することが可能になる。例えば、ビームをシャープにすることによって、より高い送信電力により対象となるユーザ装置に無線信号を送信することが可能になると共に、他のビームからの干渉電力を低減することが可能になる。さらに、大量のアンテナ素子を用いることによって、送信ダイバーシチ利得を実現することが可能になると共に、フレキシブルなビーム制御による干渉制御やトラフィックオフローディングが可能になる。【０００５】
３Ｄ  ＭＩＭＯ用アンテナは、典型的には、図３に示されるような構成を有する。すなわち、Ｖ×Ｈ個のアンテナ素子は複数のサブアレイにグループ化される。図示されたサブアレイは垂直方向に配置されたアンテナ素子から構成されているが、これに限定されることなく、水平方向又は２または３次元に配置されたアンテナ素子から構成されてもよい。また、サブアレイは必ずしも連続するアンテナ素子により構成されなくてもよい。一般に、サブアレイの個数とＴＸＲＵの個数とは同一になるが、必ずしもこれに限定されるものでない。１つのサブアレイが１つのアンテナ素子から構成される場合（Ｋ＝１）、伝送特性は最も良くなる一方、必要となるＴＸＲＵの個数が多くなり、同様に付随するベースバンド（ＢＢ）処理部の負荷が増大する。ここで、サブアレイ内のアンテナ素子は固定のチルトが適用されることがある。また、図示された３Ｄ  ＭＩＭＯ用アンテナでは、単一偏波アンテナが利用されているが、これに限定されるものでなく、直交偏波アンテナが利用されてもよい。【０００６】
Ｆｕｌｌ  ｄｉｍｅｎｓｉｏｎ−ＭＩＭＯ又はＭａｓｓｉｖｅ  ＭＩＭＯでは、ビームが細くなるためビーム追従誤差の影響が大きくなり、カバレッジに穴が生じやすくなる。このため、適切なビームフォーミングが重要となり、各種ビーム形成法が検討されている。すなわち、３Ｄ  ＭＩＭＯでは、複数のアンテナポートから基地局がどのようにしてチャネル状態測定用のリファレンス信号を送信するか、また、測定したチャネル状態をユーザ装置がどのようにフィードバックするかを規定する必要がある。【０００７】
更なる詳細については、例えば、３ＧＰＰ  ＴＲ  ３７．８４０  Ｖ１２．１．０（２０１３−１２）３ＧＰＰ  ＴＳ  ３６．２１３  Ｖ１２．２．０（２０１４−０６）を参照されたい。
【発明の概要】
【発明が解決しようとする課題】
【０００８】
すなわち、基地局の各アンテナポートから送信されたリファレンス信号に対して、ユーザ装置がチャネル状態を推定し、チャネル状態情報（ＣＳＩ）として基地局にフィードバックする。リファレンス信号のオーバヘッドを削減するため、いくつかのリファレンス信号系列を用いて水平方向のチャネル、垂直方向のチャネル及び偏波素子間のチャネルを推定する方法が考えられている。例えば、図４に示されるように、３通りのＣＳＩリファレンス信号（ＣＳＩ−ＲＳ）を用いて当該推定が実行されることが提案されている。水平方向、垂直方向及び偏波間のＣＳＩ−ＲＳがそれぞれ、コンフィギュレーション１，２，３により通知され、図示されるような送信タイミングで送信される。すなわち、コンフィギュレーション１により、ＣＳＩ−ＲＳが通知された送信タイミングで水平方向の単一偏波アンテナから送信される。コンフィギュレーション２により、ＣＳＩ−ＲＳが通知された送信タイミングで垂直方向の単一偏波アンテナから送信される。コンフィギュレーション３により、ＣＳＩ−ＲＳが通知された送信タイミングで直交偏波アンテナから送信される。なお、ＣＳＩ−ＲＳの送信パターンは、これに限定されるものでなく、図５に示されるような各種送信パターンが使用されてもよい。図５の左上の送信パターンに示されるように、全てのアンテナポートからリファレンス信号を送信することも考えられる。しかしながら、当該送信に伴うオーバヘッドと共に、ユーザ装置からのフィードバック量も大きくなってしまう。このため、リファレンス信号を間引いて、すなわち、サンプリングしたアンテナポートから送信する図示されるような他の送信パターンの利用が想定される。【０００９】
現在の仕様では、アンテナ構成に関して、基地局はユーザ装置にＣＲＳ（Ｃｅｌｌ  ｓｐｅｃｉｆｉｃ  Ｒｅｆｅｒｅｎｃｅ  Ｓｉｇｎａｌ）ポート数やＣＳＩ−ＲＳポート数などのトータルのアンテナポート数しか通知しない。３Ｄ  ＭＩＭＯにおいてより精度の高いＣＳＩフィードバックを実現するためには、ユーザ装置は、アンテナ構成に関するより詳細な情報を取得し、より詳細なアンテナ構成を利用した補間処理などに基づき、各種パターンにより送信されるＣＳＩ−ＲＳから全アンテナのチャネル状態を推定し、推定したチャネル状態を効率的に基地局にフィードバックすることができると考えられる。【００１０】
上述した問題点を鑑み、本発明の課題は、３Ｄ  ＭＩＭＯにおける高精度のチャネル状態の推定と効率的なチャネル状態のフィードバックとを実現するための技術を提供することである。
【課題を解決するための手段】
【００１１】
上記課題を解決するため、本発明の一態様は、３Ｄ  ＭＩＭＯ（３−Ｄｉｍｅｎｓｉｏｎａｌ  Ｍｕｌｔｉｐｌｅ−Ｉｎｐｕｔ  Ｍｕｌｔｉｐｌｅ−Ｏｕｔｐｕｔ）通信を実現する基地局であって、３Ｄ  ＭＩＭＯ用のアンテナと、前記アンテナを管理するアンテナ管理部と、前記アンテナを介しユーザ装置との間で無線信号を送受信する送受信部とを有し、前記アンテナ管理部は、前記アンテナの構成を示すアンテナコンフィギュレーション情報を有し、前記送受信部は、前記アンテナコンフィギュレーション情報を前記ユーザ装置に通知する基地局に関する。【００１２】
本発明の他の態様は、３Ｄ  ＭＩＭＯ（３−Ｄｉｍｅｎｓｉｏｎａｌ  Ｍｕｌｔｉｐｌｅ−Ｉｎｐｕｔ  Ｍｕｌｔｉｐｌｅ−Ｏｕｔｐｕｔ）通信を実現するユーザ装置であって、基地局の３Ｄ  ＭＩＭＯ用のアンテナのアンテナポートから送信されたリファレンス信号により前記アンテナポートのチャネル状態を測定し、前記測定したチャネル状態に基づきチャネル状態情報を生成するチャネル状態情報生成部と、前記アンテナの各次元におけるアンテナポートについて異なるチャネル状態情報フィードバック手段を用いて、前記生成されたチャネル状態情報を前記基地局にフィードバックするチャネル状態情報フィードバック部とを有するユーザ装置に関する。
【発明の効果】
【００１３】
本発明によると、３Ｄ  ＭＩＭＯにおける高精度のチャネル状態の推定と効率的なチャネル状態のフィードバックとを実現することが可能になる。
【図面の簡単な説明】
【００１４】
【図１】図１は、３Ｄ  ＭＩＭＯのアンテナタイプを示す概略図である。
【図２】図２は、３Ｄ  ＭＩＭＯのビーム制御を示す概略図である。
【図３】図３は、一例となる３Ｄ  ＭＩＭＯ用アンテナの構成を示す概略図である。
【図４】図４は、一例となるリファレンス信号系列を示す概略図である。
【図５】図５は、リファレンス信号の各種送信パターンを示す概略図である。
【図６】図６は、本発明の一実施例による無線通信システムを示す概略図である。
【図７】図７は、本発明の一実施例による基地局の構成を示すブロック図である。
【図８】図８は、本発明の一実施例によるアンテナポートのインデックス付けの具体例を示す図である。
【図９】図９は、本発明の一実施例によるリファレンス信号の送信パターンの具体例を示す図である。
【図１０】図１０は、本発明の一実施例によるユーザ装置の構成を示すブロック図である。
【図１１】図１１は、本発明の一実施例によるＣＳＩフィードバック例を示す図である。
【図１２】図１２は、本発明の一実施例による他のＣＳＩフィードバック例を示す図である。
【図１３】図１３は、本発明の一実施例によるランクインジケータの組み合わせを示す図である。
【発明を実施するための形態】
【００１５】
以下、図面に基づいて本発明の実施の形態を説明する。
【００１６】
以下の実施例では、３Ｄ  ＭＩＭＯ通信を実現するユーザ装置及び基地局が開示される。本発明を概略すると、基地局は、２次元平面アンテナなどの３Ｄ  ＭＩＭＯ用アンテナの構成を示すアンテナコンフィギュレーション情報と、チャネル状態測定用に各アンテナポートから送信されるＣＳＩ−ＲＳなどのリファレンス信号のシグナリングパターンを示すリファレンス信号コンフィギュレーション情報とをユーザ装置に通知すると共に、当該シグナリングパターンによってユーザ装置にリファレンス信号を送信する。ユーザ装置は、通知されたシグナリングパターンにより基地局から送信されたリファレンス信号を受信し、２次元平面アンテナの各次元のアンテナポートから送信されたリファレンス信号について異なるチャネル状態情報フィードバック手段を用いて、推定したチャネル状態情報を基地局にフィードバックする。例えば、相対的にビーム制御の伝送特性に与える効果の低い垂直方向のアンテナポートからのリファレンス信号については、ユーザ装置は、相対的にシンプルなチャネル状態情報フィードバック手段によりプリコーディングマトリックスインジケータをフィードバックする。他方、相対的にビーム制御の伝送特性に与える効果の高い水平方向のアンテナポートからのリファレンス信号については、ユーザ装置は、相対的に精細なプリコーディングを可能にするチャネル状態情報フィードバック手段によりプリコーディングマトリックスインジケータをフィードバックする。
【００１７】
まず、図６を参照して、本発明の一実施例による無線通信システムを説明する。図６は、本発明の一実施例による無線通信システムを示す概略図である。
【００１８】
図６に示されるように、無線通信システム１０は、基地局１００及びユーザ装置２００を有する。無線通信システム１０は、ＬＴＥシステム又はＬＴＥ−Ａｄｖａｎｃｅｄ（ＬＴＥ−Ａ）システムであるが、これに限定されることなく、３Ｄ  ＭＩＭＯ通信をサポートする何れかの無線通信システムであってもよい。
【００１９】
基地局１００は、ユーザ装置２００との３Ｄ  ＭＩＭＯ通信を実現し、搭載された２次元平面アンテナや３次元アンテナなどの多次元アンテナにおける複数のアンテナポートを介しユーザ装置２００と無線接続する。具体的には、基地局１００は、コアネットワーク（図示せず）上に通信接続された上位局やサーバなどのネットワーク装置から受信したダウンリンク（ＤＬ）パケットを複数のアンテナポートを介しユーザ装置２００に送信すると共に、複数のアンテナポートを介しユーザ装置２００から受信したアップリンク（ＵＬ）パケットをネットワーク装置に送信する。
【００２０】
基地局１００は、典型的には、ユーザ装置２００との間で無線信号を送受信するための３Ｄ  ＭＩＭＯ用アンテナ、隣接する基地局１００と通信するための通信インタフェース（Ｘ２インタフェースなど）、コアネットワークと通信するための通信インタフェース（Ｓ１インタフェースなど）、ユーザ装置２００との送受信信号を処理するためのプロセッサや回路などのハードウェアリソースにより構成される。後述される基地局１００の各機能及び処理は、メモリ装置に格納されているデータやプログラムをプロセッサが処理又は実行することによって実現されてもよい。しかしながら、基地局１００は、上述したハードウェア構成に限定されず、他の何れか適切なハードウェア構成を有してもよい。一般には、無線通信システム１０のサービスエリアをカバーするよう多数の基地局１００が配置される。
【００２１】
ユーザ装置２００は、基地局１００との３Ｄ  ＭＩＭＯ通信を実現し、基地局１００の複数のアンテナポートを介し基地局１００との間で各種データ信号及び制御信号などの無線信号を送受信する。適切な３Ｄ  ＭＩＭＯ通信を実現するため、ユーザ装置２００は、各アンテナポートとの間のチャネル状態を推定し、推定したチャネル状態をチャネル状態情報（ＣＳＩ）として基地局１００にフィードバックする。当該チャネル状態情報を受信すると、基地局１００は、受信したチャネル状態情報に基づき各アンテナポートから送信されるビームを制御する。
【００２２】
ユーザ装置２００は、典型的には、スマートフォン、携帯電話、タブレット、モバイルルータ、ウェアラブル端末などの無線通信機能を備えた何れか適切な情報処理装置であってもよい。ユーザ装置２００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）やフラッシュメモリなどのメモリ装置、基地局１００との間で無線信号を送受信するための無線通信装置などから構成される。例えば、後述されるユーザ装置２００の各機能及び処理は、メモリ装置に格納されているデータやプログラムをＣＰＵが処理又は実行することによって実現されてもよい。しかしながら、ユーザ装置２００は、上述したハードウェア構成に限定されず、後述する処理の１以上を実現する回路などにより構成されてもよい。
【００２３】
次に、図７〜９を参照して、本発明の一実施例による基地局を説明する。図７は、本発明の一実施例による基地局の構成を示すブロック図である。
【００２４】
図７に示されるように、基地局１００は、３Ｄ  ＭＩＭＯ用のアンテナ１１０、アンテナ管理部１２０及び送受信部１３０を有する。
【００２５】
３Ｄ  ＭＩＭＯ用のアンテナ１１０は、２次元平面アンテナ、円筒形に配置したアンテナや立方体面上に配置したアンテナなどの３次元アンテナなど、複数のアンテナ素子から構成される多次元アンテナから構成される。図３に示されるように、アンテナ１１０は、１以上のアンテナ素子から構成されるアンテナポートを含み、各アンテナポートから送信されるビームが、ユーザ装置２００と３Ｄ  ＭＩＭＯ通信を実行するため制御される。
【００２６】
アンテナ管理部１２０は、アンテナ１１０を管理し、アンテナ１１０の構成を示すアンテナコンフィギュレーション情報を有する。一実施例では、アンテナコンフィギュレーション情報は、アンテナ１１０の各次元におけるアンテナポート数と、アンテナ１１０の偏波種別とを示すものであってもよい。例えば、アンテナコンフィギュレーション情報は、垂直方向におけるアンテナポートの個数（Ｖ＿ａｐ）、水平方向におけるアンテナポートの個数（Ｈ＿ａｐ）及び単一偏波か直交偏波などを示すアンテナポートの偏波種別（Ｐ＿ａｐ）を示すものであってもよい。しかしながら、アンテナコンフィギュレーション情報は、これに限定されるものでなく、例えば、アンテナポートの構成、アンテナ素子の構成、ＴＸＲＵの構成、アンテナ素子間隔、サブアレイの構成を示す情報又はこれらの情報の何れかの組み合わせに関するものであってもよい。
【００２７】
一実施例では、アンテナ管理部１１０は、アンテナ１１０の各次元と偏波種別とに基づきアンテナポートをインデックス付けしてもよい。図８は、本発明の一実施例によるアンテナポートのインデックス付けの具体例を示す図である。例えば、アンテナ１１０が単一偏波アンテナである場合、図８（ａ）に示されるように、アンテナポートはまず水平方向に関してインデックス付けされ、次に垂直方向に関してインデックス付けされてもよい。同様に、図示しないが、アンテナポートはまず垂直方向に関してインデックス付けされ、次に水平方向に関してインデックス付けされてもよい。また、図８（ｂ）に示されるように、アンテナポートは水平方向と垂直方向とに関して独立してインデックス付けされてもよい。一方、アンテナ１１０が直交偏波アンテナである場合、図８（ｃ）に示されるように、アンテナポートはまず水平方向に関してインデックス付けされ、次に偏波方向に関してインデックス付けされ、さらに垂直方向に関してインデックス付けされてもよい。同様に、図示しないが、アンテナポートはまず水平方向に関してインデックス付けされ、次に垂直方向に関してインデックス付けされ、さらに偏波方向に関してインデックス付けされてもよい。また、アンテナポートは水平方向、垂直方向及び偏波方向に関して独立してインデックス付けされてもよい。
【００２８】
一実施例では、アンテナ管理部１２０は更に、アンテナ１１０のアンテナポートから送信されるリファレンス信号のシグナリングパターンを示すリファレンス信号コンフィギュレーション情報を有しても良い。当該シグナリングパターンは、アンテナ１１０の何れのアンテナポートからリファレンス信号が送信されるかを規定する。図４及び５に関連して説明したように、ユーザ装置２００が各アンテナポートとの間のチャネル状態を測定するのに利用されるリファレンス信号は、所定のシグナリングパターンにより基地局１００から送信される。このシグナリングパターンをユーザ装置２００に通知するため、アンテナ管理部１２０は、アンテナコンフィギュレーション情報と共にリファレンス信号コンフィギュレーション情報を有してもよい。
【００２９】
一実施例では、リファレンス信号コンフィギュレーション情報は、シグナリングパターンに関するアンテナ１１０の各次元におけるサンプリングファクタ、オフセット及び偏波種別を示すものであってもよい。例えば、リファレンス信号コンフィギュレーション情報は、水平方向及び垂直方向のそれぞれにおけるサンプリングファクタ（Ｈ＿ｓｆ，Ｖ＿ｓｆ）及びオフセット（Ｈ＿ｏｆ，Ｖ＿ｏｆ）を示すものであってもよい。具体的には、サンプリングファクタは各次元におけるサンプリング間隔を示し、オフセットは各次元における原点からのサンプリング開始位置を示すものであってもよい。
【００３０】
また、アンテナ１１０が直交偏波アンテナである場合、リファレンス信号コンフィギュレーション情報は、クロス偏波インデックス（ＣＰＩ）を有してもよい。クロス偏波インデックスは、例えば、水平方向において２つの偏波によりリファレンス信号が送信される場合には００を示し、垂直方向において２つの偏波によりリファレンス信号が送信される場合には０１を示し、単一偏波によりリファレンス信号が送信される場合には１０を示すよう構成され、また、リザーブ用に１１が割り当てられてもよい。また、偏波方向に関してサンプリングが行われる場合、リファレンス信号コンフィギュレーション情報は、偏波方向のサンプリングファクタ（Ｐ＿ｓｆ）を有してもよい。
【００３１】
図９は、本発明の一実施例によるリファレンス信号の送信パターンの具体例を示す図である。図示された例では、水平方向に８個（Ｈ＿ａｐ＝８）と垂直方向に４個（Ｖ＿ａｐ＝４）の３２個のアンテナポートからのリファレンス信号の送信パターンが示される。
【００３２】
図９（ａ）に示される送信パターンは、Ｈ＿ｓｆ＝１，Ｖ＿ｓｆ＝１，Ｈ＿ｏｆ＝０，Ｖ＿ｏｆ＝０，ＣＰＩ＝０１のリファレンス信号コンフィギュレーション情報により規定される。水平方向に関してはＨ＿ｓｆ＝１，Ｈ＿ｏｆ＝０であるため、水平方向に関して先頭の行に配置された全てのアンテナポートからリファレンス信号が送信される。また、垂直方向に関してはＶ＿ｓｆ＝１，Ｖ＿ｏｆ＝０であるため、垂直方向に関して先頭の列に配置された全てのアンテナポートからリファレンス信号が送信される。また、偏波種別に関してＣＰＩ＝０１であるため、垂直方向に関しては２つの偏波によりリファレンス信号が送信される。
【００３３】
また、図９（ｂ）に示される送信パターンは、Ｈ＿ｓｆ＝２，Ｖ＿ｓｆ＝１，Ｈ＿ｏｆ＝１，Ｖ＿ｏｆ＝３，ＣＰＩ＝０１のリファレンス信号コンフィギュレーション情報により規定される。水平方向に関してはＨ＿ｓｆ＝２，Ｈ＿ｏｆ＝１であるため、水平方向に関して２番目の行に配置された半数のアンテナポートからリファレンス信号が送信される。また、垂直方向に関してはＶ＿ｓｆ＝１，Ｖ＿ｏｆ＝３であるため、垂直方向に関して４番目の列に配置された全てのアンテナポートからリファレンス信号が送信される。また、偏波種別に関してＣＰＩ＝０１であるため、垂直方向に関しては２つの偏波によりリファレンス信号が送信される。
【００３４】
送受信部１３０は、アンテナ１１０を介しユーザ装置２００との間で無線信号を送受信すると共に、アンテナコンフィギュレーション情報をユーザ装置２００に通知する。上述したように、アンテナコンフィギュレーション情報は、アンテナ１１０の構成を示し、例えば、アンテナ１１０の各次元におけるアンテナポート数とアンテナ１１０の偏波種別とを示す。
【００３５】
一実施例では、送受信部１３０は、各次元におけるアンテナポート数及び偏波種別を示す各パラメータを組み合わせてユーザ装置２００に通知してもよい。例えば、送受信部１３０は、水平方向におけるアンテナポート数（Ｈ＿ａｐ）と偏波種別（Ｐ＿ａｐ）とを組み合わせてジョイント情報としてユーザ装置２００に送信し、垂直方向におけるアンテナポート数（Ｖ＿ａｐ）を付加情報としてユーザ装置２００に送信してもよい。このようにパラメータを送信することによって、ＬＴＥ規格の以前のリリースとの後方互換性を維持することが可能になる。しかしながら、これに限定されることなく、送受信部１３０は、例えば、Ｈ＿ａｐとＶ＿ａｐとを組み合わせ、Ｐ＿ａｐを付加情報として送信してもよいし、あるいは、Ｖ＿ａｐとＰ＿ａｐとを組み合わせ、Ｈ＿ａｐを付加情報として送信してもよい。なお、単一偏波と二重偏波とを示す偏波種別は、フラグ（Ｐ＿ｆｌａｇ）として通知されてもよい。
【００３６】
上述した実施例では、送受信部１３０は、水平方向のアンテナポート数と垂直方向のアンテナポート数とを規定したアンテナコンフィギュレーション情報をユーザ装置２００に通知している。しかしながら、本発明はこれに限定されることなく、送受信部１３０は、ユーザ装置２００にフィードバックさせる第１ＣＳＩフィードバックセットのためのアンテナポート数と、第２ＣＳＩフィードバックセットのためのアンテナポート数とを規定したアンテナコンフィギュレーション情報をユーザ装置２００に通知してもよい。また、上述した実施例では、送受信部１３０は、アンテナポートの配置に関するアンテナコンフィギュレーション情報をユーザ装置２００に通知しているが、これに限定されることなく、例えば、アンテナポートの構成、アンテナ素子の構成、ＴＸＲＵの構成、サブアレイの構成を示す情報又はこれらの情報の何れかの組み合わせに関するアンテナコンフィギュレーション情報をユーザ装置２００に通知してもよい。
【００３７】
一実施例では、送受信部１３０は、アンテナコンフィギュレーション情報をＰＢＣＨ（Ｐｈｙｓｉｃａｌ  Ｂｒｏａｄｃａｓｔ  Ｃｈａｎｎｅｌ）又はＲＲＣ（Ｒａｄｉｏ  Ｒｅｓｏｕｒｃｅ  Ｃｏｎｔｒｏｌ）シグナリングにより通知してもよいし、それらの組合わせで通知しても良い。例えば、トータルのアンテナポート数をＰＢＣＨで通知し、ＰＢＣＨの情報をもとにより詳細なアンテナ構成を通知できても良い。なお、ＲＲＣシグナリングによる通知において、送受信部１３０は、アンテナコンフィギュレーション情報をＬＴＥ規格のリリース１１において規定されたＣＳＩプロセスに含めて通知してもよい。ＣＳＩプロセスは、ＣＳＩ−ＲＳリソースコンフィギュレーションとＣＳＩ−ＩＭ（ＣＳＩ−Ｉｎｔｅｒｆｅｒｅｎｃｅ  Ｍｅａｓｕｒｅｍｅｎｔ）リソースコンフィギュレーションとを含み、ユーザ装置２００は、基地局１００から通知されたＣＳＩプロセス毎にチャネル状態を測定し、測定したチャネル状態に基づきＣＳＩを生成する。ここで、ユーザ装置２００は、ＣＳＩ−ＲＳリソースコンフィギュレーションに基づき３Ｄ  ＭＩＭＯ通信を実行するのに必要な電力を算出し、ＣＳＩ−ＩＭリソースコンフィギュレーションに基づき３Ｄ  ＭＩＭＯ通信における他のビームからの干渉電力を算出する。このとき、複数のＣＳＩ−ＲＳリソースが１つのＣＳＩプロセスに含まれてもよい。また、アンテナコンフィギュレーション情報は、ＣＳＩ−ＲＳリソースに含まれてもよい。更に、ＣＳＩプロセスのより上位な概念を用いて複数のＣＳＩプロセス（またはＣＳＩ−ＲＳリソースコンフィグレーション）を含んでいても良い。
【００３８】
また、Ｒｅｌ．１１の下りリンクＣｏＭＰでは、複数のＣＳＩプロセスを用いる事で、複数の地理的に離れた最大８アンテナのセルのＣＳＩを推定する事が可能となっている。３Ｄ  ＭＩＭＯでは、８より大きいアンテナを具備する基地局に対して、複数のＣＳＩプロセスを設定することで８より大きいＣＳＩを推定する事が可能である。ＣｏＭＰでは、基本的には地理的に離れたセルのＣＳＩ推定を想定していたが、３Ｄ  ＭＩＭＯでは複数のＣＳＩプロセスやＣＳＩ−ＲＳリソースコンフィグレーションが地理的に離れているか、同一かを示す情報を含めても良い。
【００３９】
例えば、ＣＳＩ−ＲＳリソースコンフィグレーションにコロケーション情報を含めても良い。更に、複数のＣＳＩプロセスはＣＳＩ−ＲＳリソースコンフィギュレーションの物理的な関係性をシグナリングしてもよい。
【００４０】
一実施例では、送受信部１３０は更に、リファレンス信号コンフィギュレーション情報をユーザ装置２００に通知してもよい。すなわち、送受信部１３０は、アンテナコンフィギュレーション情報に加えて、アンテナ１１０のアンテナポートから送信されるリファレンス信号のシグナリングパターンを示すリファレンス信号コンフィギュレーション情報をユーザ装置２００に通知してもよい。
【００４１】
上述したように、リファレンス信号コンフィギュレーション情報は、例えば、シグナリングパターンに関するアンテナ１１０の各次元におけるサンプリングファクタ、オフセット及び偏波種別を示すが、これに限定されることなく、アンテナ１１０のどのアンテナポートからリファレンス信号がどの偏波種別により送信されるかを示す他の何れか適切なパラメータを含むものであってもよい。例えば、各次元において送信されるリファレンス信号の個数とサンプリングファクタとが通知されてもよい。
【００４２】
また、説明の便宜上、アンテナコンフィギュレーション情報とリファレンス信号コンフィギュレーション情報とを異なる情報要素として説明したが、本発明は、これに限定されるものでなく、アンテナコンフィギュレーション情報のパラメータとリファレンス信号コンフィギュレーション情報のパラメータとを１つの情報要素としてユーザ装置２００に通知してもよい。上述したパラメータに基づき、コードブック又は最大ランクを選択することが可能である。
【００４３】
また、一実施例では、送受信部１３０は更に、ＣＳＩ−ＲＳリソースコンフィギュレーションに関連するパラメータを通知してもよい。ＣＳＩ−ＲＳリソースコンフィギュレーションに関連するパラメータとして、ＣＳＩ−ＲＳリソースコンフィギュレーションアイデンティティ、ＣＳＩ−ＲＳポートの個数、ＣＳＩ  ＲＳコンフィギュレーション、ＣＳＩ  ＲＳサブフレームコンフィギュレーション、ＣＳＩフィードバック情報算出時のＰＤＳＣＨ送信電力に関するユーザ装置２００の仮定、擬似乱数列生成パラメータ、ユーザ装置２００が送信モード１０に設定されている場合における各種コロケーション情報があげられる。送受信部１３０は、１つのＣＳＩ−ＲＳリソースコンフィギュレーションに複数のエレメントを含めることによって、あるいは、１つのＣＳＩコンフィギュレーションに複数のＣＳＩ−ＲＳリソースコンフィギュレーションを含めることによって、これらのパラメータを通知してもよい。
【００４４】
なお、ＣＳＩ−ＲＳリソースコンフィギュレーションアイデンティティは、ＣＳＩ−ＲＳリソースコンフィギュレーションのインデックスである。ＣＳＩ−ＲＳポートの個数は、ＣＳＩ−ＲＳの送信アンテナポート数（２、４又は８など）である。ＣＳＩ−ＲＳコンフィギュレーションは、サブフレーム内におけるＣＳＩ−ＲＳの多重位置（サブキャリア番号、シンボル番号）を示す。ＣＳＩ−ＲＳサブフレームコンフィギュレーションＩＣＳＩ−ＲＳは、時間的なＣＳＩ−ＲＳの多重位置（送信周期、オフセット）を示す。ＣＳＩフィードバック情報算出時のＰＤＳＣＨ送信電力ＰＣは、ＣＳＩ−ＲＳとＰＤＳＣＨとの電力比を示す。擬似乱数列生成パラメータｎＩＤは、ＣＳＩ−ＲＳ系列生成用のパラメータである。上位レイヤパラメータｑｃｌ−ＣＲＳ−Ｉｎｆｏ−ｒ１１は、当該ＣＳＩ−ＲＳがどのＣＲＳとコロケーションしているかを通知する情報である。ＣＳＩ−ＲＳは非常に疎であるため、単体では周波数同期ができず、ＣＲＳを用いて周波数同期を行う。このため、当該ＣＳＩ−ＲＳがどのＣＲＳを用いるかを通知する必要がある。
【００４５】
次に、図１０〜１３を参照して、本発明の一実施例によるユーザ装置を説明する。図１０は、本発明の一実施例によるユーザ装置の構成を示すブロック図である。
【００４６】
図１０に示されるように、ユーザ装置２００は、チャネル状態情報生成部２１０及びチャネル状態情報フィードバック部２２０を有する。
【００４７】
チャネル状態情報生成部２１０は、基地局１００の３Ｄ  ＭＩＭＯ用のアンテナ１１０のアンテナポートから送信されたリファレンス信号によりアンテナポートのチャネル状態を測定し、測定したチャネル状態に基づきチャネル状態情報を生成する。具体的には、チャネル状態情報生成部２１０は、基地局１００のアンテナポートから送信されたリファレンス信号（ＣＳＩ−ＲＳ）を受信し、受信したリファレンス信号に基づき送信元のアンテナポートとの間のチャネル状態を測定すると共に、測定したチャネル状態に基づきリファレンス信号を送信していないアンテナポートとの間のチャネル状態も推定する。その後、チャネル状態情報生成部２１０は、推定したチャネル状態に基づき、３Ｄ  ＭＩＭＯ通信に使用されるべきランクインジケータ（ＲＩ）、ＣＱＩ（Ｃｈａｎｎｅｌ  Ｑｕａｌｉｔｙ  Ｉｎｄｉｃａｔｏｒ）及びプリコーディングマトリックスインジケータ（ＰＭＩ）を算出し、チャネル状態情報（ＣＳＩ）として基地局１００にフィードバックする。
【００４８】
一実施例では、チャネル状態情報生成部２１０は、基地局１００のアンテナ１１０の構成を示すアンテナコンフィギュレーション情報とアンテナ１１０のアンテナポートから送信されるリファレンス信号のシグナリングパターンを示すリファレンス信号コンフィギュレーション情報とを基地局１００から受信し、受信したアンテナコンフィギュレーション情報とリファレンス信号コンフィギュレーション情報とに基づきアンテナポートのチャネル状態を測定してもよい。アンテナコンフィギュレーション情報とリファレンス信号コンフィギュレーション情報とを利用することによって、チャネル状態情報生成部２１０は、リファレンス信号を送信したアンテナポートについて測定したチャネル状態に基づき、リファレンス信号を送信していないアンテナポートとのチャネル状態をより高精度に推定することが可能になる。
【００４９】
また、チャネル状態情報生成部２１０は、複数のＣＳＩリソースに基づきチャネル状態情報を生成してもよい。３Ｄ  ＭＩＭＯのためのＰＭＩは、２つの異なるＣＳＩプロセスに基づきフィードバックされてもよい。同様に、ＲＩ及びＣＱＩは、複数のＣＳＩプロセスに基づきフィードバックされてもよい。
【００５０】
チャネル状態情報フィードバック部２２０は、アンテナ１１０の各次元におけるアンテナポートについて異なるチャネル状態情報フィードバック手段を用いて、生成されたチャネル状態情報を基地局１００にフィードバックする。具体的には、基地局１００は、上述したように、水平方向及び垂直方向のそれぞれにおけるアンテナポートからリファレンス信号をユーザ装置２００に送信する。このため、チャネル状態情報フィードバック部２２０もまた、図１１に示されるように、水平方向及び垂直方向のそれぞれにおけるアンテナポートから受信したリファレンス信号に対応して水平方向のＰＭＩ１及び垂直方向のＰＭＩ２を基地局１００にフィードバックする。
【００５１】
また、他の実施例では、図１２に示されるように、チャネル状態情報フィードバック部２２０は、ＣＳＩ−ＲＳ１及びＣＳＩ−ＲＳ２について、ＲＩ、ＰＭＩ及びＣＱＩのチャネル状態情報を様々な方法によりフィードバックしてもよい。例えば、図１２（ａ）に示されるように、チャネル状態情報フィードバック部２２０は、ＣＳＩ−ＲＳ１及びＣＳＩ−ＲＳ２に対して推定したＲＩ、ＰＭＩ及びＣＱＩをジョイント情報として基地局１００にフィードバックしてもよい。また、図１２（ｂ）に示されるように、チャネル状態情報フィードバック部２２０は、ＣＳＩ−ＲＳ１に対して推定したＲＩ１、ＰＭＩ１及びＣＱＩ１と、ＣＳＩ−ＲＳ２に対して推定したＲＩ２、ＰＭＩ２及びＣＱＩ２とを別々のチャネル状態情報フィードバック手段により基地局１００にフィードバックしてもよい。同様に、図１２（ｃ）に示されるように、チャネル状態情報フィードバック部２２０は、ＣＳＩ−ＲＳ１に対して推定したＲＩ１及びＰＭＩ１と、ＣＳＩ−ＲＳ２に対して推定したＲＩ２及びＰＭＩ２とを別々のチャネル状態情報フィードバック手段により基地局１００にフィードバックし、ＣＱＩをジョイント情報として基地局１００にフィードバックしてもよい。
【００５２】
一実施例では、チャネル状態情報フィードバック部２２０は、アンテナ１１０の水平方向におけるアンテナポートについて第１チャネル状態情報フィードバック手段を用いて、生成されたチャネル状態報情報を基地局１００にフィードバックし、アンテナ１１０の垂直方向におけるアンテナポートについて第２チャネル状態情報フィードバック手段を用いて、生成されたチャネル状態情報を基地局１００にフィードバックしてもよく、第１チャネル状態情報フィードバック手段は、第２チャネル状態情報フィードバック手段より精細なプリコーディングを可能にするものであってもよい。一般に、３Ｄ  ＭＩＭＯでは、垂直方向に複数のデータストリームを多重することには向いておらず、ビームの上下方向のみの制御がメインで想定される一方、水平方向に関してはより精細なビーム制御が効果的であると考えられる。フィードバックのためのシグナリング量を低減するため、チャネル状態情報フィードバック部２２０は、粒度の異なる２つのタイプのチャネル状態情報フィードバック手段を用いて水平方向のＰＭＩ１と垂直方向のＰＭＩ２とを基地局１００にフィードバックしてもよい。
【００５３】
例えば、第１チャネル状態情報フィードバック手段は、ＬＴＥ規格リリース１２の４−Ｔｘコードブックであり、第２チャネル状態情報フィードバック手段は、ＤＦＴ（Ｄｉｓｃｒｅｔｅ  Ｆｏｕｒｉｅｒ  Ｔｒａｎｓｆｏｒｍ）コードブックであってもよい。ＤＦＴコードブックは、ＬＴＥ規格リリース１２の４−Ｔｘコードブックよりシンプルであり、上下方向のビーム制御を実現するのに好適である。また、第１チャネル状態情報フィードバック手段は、ＬＴＥ規格リリース１２の４−Ｔｘコードブックであり、第２チャネル状態情報フィードバック手段は、ＰＭＩではなく、ビームセレクションにおけるビームインデックスであってもよいし、ビーム追従を行う場合のフィードバック情報であってもよい。すなわち、チャネル状態情報フィードバック部２２０は、基地局１００の各アンテナポートから送信されたビームのうち最適なビームを選択し、選択したビームのビームインデックスを基地局１００に第２チャネル状態情報フィードバック手段として通知してもよい。より一般には、チャネル状態情報フィードバック部２２０は、基地局１００からＣＳＩ−ＲＳプロセスを受信すると、第１ＣＳＩ−ＲＳプロセスについてビームトラッキングによるビームインデックスを通知し、第２ＣＳＩ−ＲＳプロセスについて選択したＰＭＩを通知してもよい。
【００５４】
また、チャネル状態情報フィードバック部２２０は、ＣＳＩプロセス毎にコードブックなどのチャネル状態情報フィードバック手段を設定するなど、ＣＳＩフィードバック単位毎にチャネル状態情報フィードバック手段を設定してもよい。
【００５５】
また、チャネル状態情報フィードバック部２２０は、アンテナ１１０の各次元のランクインジケータを結合して基地局１００にフィードバックしてもよい。具体的には、チャネル状態情報フィードバック部２２０は、水平方向と垂直方向との各チャネル状態情報をジョイント情報として基地局１００に通知してもよい。このとき、選択された水平方向のＰＭＩは選択された垂直方向のＰＭＩに依存することになる。例えば、ランクインジケータに関して、第１ＰＭＩの第１ＲＩと第２ＰＭＩの第２ＲＩなどの複数のＲＩがフィードバックされてもよい。例えば、ユーザ装置２００の受信アンテナの個数が４である場合、最大ランクは４に限定される。このとき、チャネル状態情報フィードバック部２２０は、水平方向のランクと垂直方向のランクとを結合して、図１３に示されるようなランクインジケータの組み合わせにより基地局１００にフィードバックしてもよい。なお、本例ではランク４に関する結合されたランクを通知する方法を示したが、それに加えて複数のランク（例えばランク１から８）にまたがった結合されたランクを通知しても良い。なお、垂直方向のビーム制御は相対的にシンプルなチャネル状態情報フィードバック手段により指示することが想定されるため、相対的に高い（またはマルチランクの）垂直方向のランクインジケータに関する組み合わせは、含めなくてもよいかもしれない。すなわち、ランクインジケータは水平方向のＣＳＩのみに関連付ける（または水平方向のＣＳＩフィードバックに含める）事がメリットとなるかもしれない。
【００５６】
また、ＰＭＩに関して、水平方向及び偏波種別の第１ＰＭＩと垂直方向の第２ＰＭＩなどの複数のＰＭＩがフィードバックされてもよい。ユーザ装置２００は、第２ＰＭＩを選択するため、最新のＲＩと第１ＰＭＩとを利用し、また、第１ＰＭＩを選択するため、最新のＲＩと第２ＰＭＩとを利用してもよい。このため、基地局１００は、第２ＰＭＩを選択するため、最新のＲＩと第１ＰＭＩとをユーザ装置２００に通知し、第１ＰＭＩを選択するため、最新のＲＩと第２ＰＭＩとをユーザ装置２００に通知してもよい。
【００５７】
また、ＣＱＩに関して、ＣＱＩは、各ＣＱＩプロセスについて選択されてもよい。また、２つの異なるＣＳＩプロセスに基づき１つのＣＱＩが選択されてもよい。
【００５８】
以上、本発明の実施例について詳述したが、本発明は上述した特定の実施形態に限定されるものではなく、特許請求の範囲に記載された本発明の要旨の範囲内において、種々の変形・変更が可能である。
【００５９】
本国際出願は、２０１４年９月２５日に出願した日本国特許出願２０１４−１９５８８２号に基づく優先権を主張するものであり、２０１４−１９５８８２号の全内容を本国際出願に援用する。
【符号の説明】
【００６０】
１０  無線通信システム
１００  基地局
２００  ユーザ装置
【図１】
2016047505.tif 000003
【図２】
2016047505.tif 000004
【図３】
2016047505.tif 000005
【図４】
2016047505.tif 000006
【図５】
2016047505.tif 000007
【図６】
2016047505.tif 000008
【図７】
2016047505.tif 000009
【図８】
2016047505.tif 000010
【図９】
2016047505.tif 000011
【図１０】
2016047505.tif 000012
【図１１】
2016047505.tif 000013
【図１２】
2016047505.tif 000014
【図１３】
2016047505.tif 000015
【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
アンテナポートと、
前記アンテナポートを介しユーザ装置との間で無線信号を送受信する送受信部と、
を有する基地局であって、
前記送受信部は、前記アンテナポートの２次元構成を示すアンテナコンフィギュレーション情報を前記ユーザ装置に通知する基地局。
【請求項２】
前記送受信部は、前記アンテナコンフィギュレーション情報をＲＲＣ（Ｒａｄｉｏ  Ｒｅｓｏｕｒｃｅ  Ｃｏｎｔｒｏｌ）シグナリングにより通知する、請求項１記載の基地局。
【請求項３】
基地局のアンテナポートから送信されたリファレンス信号により前記アンテナポートのチャネル状態を測定し、前記測定したチャネル状態に基づきチャネル状態情報を生成するチャネル状態情報生成部と、
前記アンテナポートについて異なるチャネル状態情報フィードバック手段を用いて、前記生成されたチャネル状態情報を前記基地局にフィードバックするチャネル状態情報フィードバック部と、
を有するユーザ装置。
【国際調査報告】
2016047505.tif 000016
2016047505.tif 000017
2016047505.tif 000018
2016047505.tif 000019